(57)【要約】【課題】電波遮断を実行した後、これを終了し忘れることがないようにし、利便性の向上を図る。【解決手段】本発明係る移動通信端末機の電波遮断制御方法は、入力される時宜情報に従って電波遮断制御に関わる１以上の時点を設定する設定段階（Ｓ２０１〜Ｓ２０３）と、電波遮断を開始する開始段階（Ｓ２０４）と、該開始段階の後、前記設定した時点に応じて電波遮断を終了する終了段階（Ｓ２０５〜Ｓ２０６）と、を少なくとも実行することを特徴とする。【選択図】図１
2007082234.tif 000002
【特許請求の範囲】
【請求項１】
入力される時宜情報に従って電波遮断制御に関わる１以上の時点を設定する設定段階と、
電波遮断を開始する開始段階と、
該開始段階の後、前記設定した時点に応じて電波遮断を終了する終了段階と、
を少なくとも実行することを特徴とする移動通信端末機の電波遮断制御方法。
【請求項２】
前記時宜情報が、電波遮断を終了する時刻を含んだ情報で、
前記設定段階において、電波遮断を終了する時刻を設定し、
前記終了段階において、前記電波遮断を終了する時刻になったときに電波遮断を終了することを特徴とする請求項１記載の移動通信端末機の電波遮断制御方法。
【請求項３】
前記時宜情報が、電波遮断を開始する時刻及び終了する時刻を含んだ情報で、
前記設定段階において、電波遮断を開始する時刻及び終了する時刻を設定し、
前記開始段階において、前記電波遮断を開始する時刻になったときに電波遮断を開始し、
前記終了段階において、前記電波遮断を終了する時刻になったときに電波遮断を終了することを特徴とする請求項１記載の移動通信端末機の電波遮断制御方法。
【請求項４】
前記時宜情報が、現在又は電波遮断開始の時刻から電波遮断を終了するまでの時間を含んだ情報で、
前記設定段階において、電波遮断を終了するまでの時間を設定し、
前記終了段階において、前記電波遮断を終了するまでの時間が経過したときに電波遮断を終了することを特徴とする請求項１記載の移動通信端末機の電波遮断制御方法。
【請求項５】
前記時宜情報が、現在の時刻から電波遮断を開始するまでの時間及び終了するまでの時間を含んだ情報で、
前記設定段階において、電波遮断を開始するまでの時間及び終了するまでの時間を設定し、
前記開始段階において、前記電波遮断を開始するまでの時間が経過したときに電波遮断を開始し、
前記終了段階において、前記電波遮断を終了するまでの時間が経過したときに電波遮断を終了することを特徴とする請求項１記載の移動通信端末機の電波遮断制御方法。
【請求項６】
前記時宜情報は、使用者により入力されるものか、又は、基地局から入力されるものであることを特徴とする請求項１〜５のいずれか１項に記載の移動通信端末機の電波遮断制御方法。
【請求項７】
前記開始段階の後、前記終了段階の前に、所定の入力操作に応じて電波遮断を終了する緊急終了段階を実行することを特徴とする請求項１〜６のいずれか１項に記載の移動通信端末機の電波遮断制御方法。
【請求項８】
前記終了段階において、前記設定した時点に応じて自動的に電波遮断を終了することを特徴とする請求項１〜７のいずれか１項に記載の移動通信端末機の電波遮断制御方法。
【請求項９】
前記終了段階において、前記設定した時点に応じて使用者に電波遮断を終了できることを通知し、該通知に対する応答操作に従って電波遮断を終了することを特徴とする請求項１〜７のいずれか１項に記載の移動通信端末機の電波遮断制御方法。
【請求項１０】
前記開始段階の後、前記終了段階の前に、電波遮断を開始してからの経過時間又は電波遮断を終了するまでの残り時間を通知する通知段階を実行することを特徴とする請求項１〜９のいずれか１項に記載の移動通信端末機の電波遮断制御方法。
【請求項１１】
入力される時宜情報に従って電波遮断制御に関わる１以上の時点を設定する設定段階と、
電波遮断を開始する開始段階と、
該開始段階の後、通信可能領域に位置しているか否かを判断する位置判断段階と、
該位置判断段階で通信可能領域に位置していると判断できれば、前記設定した時点に応じて電波遮断を終了する終了段階と、
を少なくとも実行することを特徴とする移動通信端末機の電波遮断制御方法。
【請求項１２】
前記時宜情報が、電波遮断を終了する時刻を含んだ情報で、
前記設定段階において、電波遮断を終了する時刻を設定し、
前記位置判断段階において、前記電波遮断を終了する時刻になる前又は該時刻になったときに通信可能領域に位置しているか否かを判断し、
前記終了段階において、前記位置判断段階で通信可能領域に位置していると判断できれば、前記電波遮断を終了する時刻になってから電波遮断を終了することを特徴とする請求項１１記載の移動通信端末機の電波遮断制御方法。
【請求項１３】
前記時宜情報が、電波遮断を開始する時刻及び終了する時刻を含んだ情報で、
前記設定段階において、電波遮断を開始する時刻及び終了する時刻を設定し、
前記開始段階において、前記電波遮断を開始する時刻になったときに電波遮断を開始し、
前記位置判断段階において、前記電波遮断を終了する時刻になる前又は該時刻になったときに通信可能領域に位置しているか否かを判断し、
前記終了段階において、前記位置判断段階で通信可能領域に位置していると判断できれば、前記電波遮断を終了する時刻になってから電波遮断を終了することを特徴とする請求項１１記載の移動通信端末機の電波遮断制御方法。
【請求項１４】
前記時宜情報が、現在又は電波遮断開始の時刻から電波遮断を終了するまでの時間を含んだ情報で、
前記設定段階において、電波遮断を終了するまでの時間を設定し、
前記位置判断段階において、前記電波遮断を終了するまでの時間が経過する前又は該時間が経過したときに通信可能領域に位置しているか否かを判断し、
前記終了段階において、前記位置判断段階で通信可能領域に位置していると判断できれば、前記電波遮断を終了するまでの時間が経過してから電波遮断を終了することを特徴とする請求項１１記載の移動通信端末機の電波遮断制御方法。
【請求項１５】
前記時宜情報が、現在の時刻から電波遮断を開始するまでの時間及び終了するまでの時間を含んだ情報で、
前記設定段階において、電波遮断を開始するまでの時間及び終了するまでの時間を設定し、
前記開始段階において、前記電波遮断を開始するまでの時間が経過したときに電波遮断を開始し、
前記位置判断段階において、前記電波遮断を終了するまでの時間が経過する前又は該時間が経過したときに通信可能領域に位置しているか否かを判断し、
前記終了段階において、前記位置判断段階で通信可能領域に位置していると判断できれば、前記電波遮断を終了するまでの時間が経過してから電波遮断を終了することを特徴とする請求項１１記載の移動通信端末機の電波遮断制御方法。
【請求項１６】
前記時宜情報は、使用者により入力されるものか、又は、基地局から入力されるものであることを特徴とする請求項１１〜１５のいずれか１項に記載の移動通信端末機の電波遮断制御方法。
【請求項１７】
前記位置判断段階で通信可能領域に位置していると判断できなければ、前記設定した時点に応じて電源をオフにする電源断段階を実行することを特徴とする請求項１１〜１６のいずれか１項に記載の移動通信端末機の電波遮断制御方法。
【請求項１８】
前記開始段階の後、前記終了段階の前に、所定の入力操作に応じて電波遮断を終了する緊急終了段階を実行することを特徴とする請求項１１〜１７のいずれか１項に記載の移動通信端末機の電波遮断制御方法。
【請求項１９】
前記終了段階において、前記設定した時点に応じて自動的に電波遮断を終了することを特徴とする請求項１１〜１８のいずれか１項に記載の移動通信端末機の電波遮断制御方法。
【請求項２０】
前記終了段階において、前記設定した時点に応じて使用者に電波遮断を終了できることを通知し、該通知に対する応答操作に従って電波遮断を終了することを特徴とする請求項１１〜１８のいずれか１項に記載の移動通信端末機の電波遮断制御方法。
【請求項２１】
前記開始段階の後、前記終了段階の前に、電波遮断を開始してからの経過時間又は電波遮断を終了するまでの残り時間を通知する通知段階を実行することを特徴とする請求項１１〜２０のいずれか１項に記載の移動通信端末機の電波遮断制御方法。
【請求項２２】
入力される時宜情報に従って電波遮断制御に関わる１以上の時点をセット可能なタイムセット部と、
少なくとも電波の発信を制御する第１制御器と、
該第１制御器を制御して電波遮断を開始した後、前記タイムセット部にセットした時点に応じ前記第１制御器を制御して電波遮断を終了する第２制御器と、
を含んで構成されることを特徴とする移動通信端末機。
【請求項２３】
通信可能領域に位置しているか否かを検出する第３制御器をさらに含み、
前記第２制御器は、前記タイムセット部にセットした時点に応じると共に前記第３制御器に従って、前記第１制御器を制御して電波遮断を終了することを特徴とする請求項２２記載の移動通信端末機。
【発明の詳細な説明】
【技術分野】
【０００１】
本発明は、移動通信（移動体通信）端末機に関し、特に、移動通信端末機から電波を発しないようにする電波遮断モードの制御方法及びそのための装置に関する。
【背景技術】
【０００２】
移動通信端末機（例えば、携帯電話、ＰＤＡ、その他）が生活必需品として登場すると共に、その使用に関する成熟したマナーが求められているが、生活を便利にするための移動通信端末機によって逆に自分が拘束されてしまい、移動通信端末機から自由になれない現象、即ち、主従が逆転する現象が顕在化している。その結果として、移動通信端末機を使用してはいけない場所（例えば、病院、飛行機内、公演場など）でも構わず移動通信端末機を使用する自分勝手な事例が、なかなか減らない。
【０００３】
このような問題を解決するために、従来技術（例えば、特許文献１、２）は、中継器において移動通信端末機の通信電波を強制的に遮断可能とするための方法及び装置を提示している。また、従来技術（例えば、特許文献３）は、着信音騒音を防止するためのものであって、移動通信端末機の着信音をマナーモード（振動または光）に自動で切り替え得るように中継器から信号を送信する装置について説明している。
【特許文献１】大韓民国公開特許公報第１９９９−００８４２０３号
【特許文献２】大韓民国公開特許公報第２００１−００７６０２４号
【特許文献３】大韓民国公開特許公報第２０００−００７２３５５号
【発明の開示】
【発明が解決しようとする課題】
【０００４】
上記の特許文献に開示されるような従来技術は、中継器に別途の装置またはソフトウェアを追加しなければならないという改善点がある。すなわち、そのような装置などの追加は、例えば、空港、航空機、病院などでは難しく、これらの場所では、移動通信端末機の使用者が自ら端末機の電源をオフして、当該使用禁止区域から出た時に前記使用者が電源をオンしなければならない。したがって、上述のマナー改善の解決にはならない。
【０００５】
そして、そのような場所で移動通信端末機の電源をオフした後に、そのまま電源をオンし忘れてしまうことがよくあり、着信できない状態が不用意に続いてしまうといった不具合がある。
【０００６】
あるいは、使用者がしばらくの間、通信（電話、メール等）から自由になりたくて、移動通信端末機の通信機能は切っておきたいが、ただし、その他の各機能（例えば、カメラ、ゲームなど）は使用したい、と思っても、現在では対応するモードをもつ端末機がない。
【課題を解決するための手段】
【０００７】
上記のような技術背景に鑑みて本発明は、電源をオフするのではなく、使用者の操作に応じて移動通信端末機が自機の電波を遮断する機能を実行するようにし、特に、該電波遮断の開始と終了、中でも電波遮断を終了する時点を設定することができるようにすることで、移動通信端末機をより便利に行い得るようにする。
【０００８】
本発明に係る移動通信端末機の電波遮断制御方法は、入力される時宜情報に従って電波遮断制御に関わる１以上の時点を設定する設定段階と、電波遮断を開始する開始段階と、該開始段階の後、前記設定した時点に応じて電波遮断を終了する終了段階と、を少なくとも実行することを特徴とする。その開始段階は、一態様として、前記設定段階を実行した後に実行するものとすることができる。
【０００９】
時宜情報は、電波遮断を終了する時刻を含んだ情報とすることができ、この場合、前記設定段階において、電波遮断を終了する時刻を設定し、前記終了段階において、前記電波遮断を終了する時刻になったときに電波遮断を終了する制御とすることができる。
【００１０】
あるいは、時宜情報は、電波遮断を開始する時刻及び終了する時刻を含んだ情報とすることができ、この場合、前記設定段階において、電波遮断を開始する時刻及び終了する時刻を設定し、前記開始段階において、前記電波遮断を開始する時刻になったときに電波遮断を開始し、前記終了段階において、前記電波遮断を終了する時刻になったときに電波遮断を終了する制御とすることができる。
【００１１】
あるいはまた、時宜情報は、現在又は電波遮断開始の時刻から電波遮断を終了するまでの時間を含んだ情報とすることができ、この場合、前記設定段階において、電波遮断を終了するまでの時間を設定し、前記終了段階において、前記電波遮断を終了するまでの時間が経過したときに電波遮断を終了する制御とすることができる。
【００１２】
さらに、時宜情報は、現在の時刻から電波遮断を開始するまでの時間及び終了するまでの時間を含んだ情報とすることができ、この場合、前記設定段階において、電波遮断を開始するまでの時間及び終了するまでの時間を設定し、前記開始段階において、前記電波遮断を開始するまでの時間が経過したときに電波遮断を開始し、前記終了段階において、前記電波遮断を終了するまでの時間が経過したときに電波遮断を終了する制御とすることができる。
【００１３】
上記のような時宜情報は、使用者により入力されるものか、又は、基地局から入力されるものとすることができる。
【００１４】
前記開始段階の後、前記終了段階の前には、所定の入力操作に応じて電波遮断を終了する緊急終了段階を実行するようにしてもよい。
【００１５】
また、前記終了段階においては、前記設定した時点に応じて自動的に電波遮断を終了するようにするか、あるいは、前記設定した時点に応じて使用者に電波遮断を終了できることを通知し、該通知に対する応答操作に従って電波遮断を終了するようにしてもよい。
【００１６】
前記開始段階の後、前記終了段階の前には、電波遮断を開始してからの経過時間又は電波遮断を終了するまでの残り時間を通知する通知段階を実行するようにしてもよい。
【００１７】
以上の他、本発明に係る移動通信端末機の電波遮断制御方法は、入力される時宜情報に従って電波遮断制御に関わる１以上の時点を設定する設定段階と、電波遮断を開始する開始段階と、該開始段階の後、通信可能領域に位置しているか否かを判断する位置判断段階と、該位置判断段階で通信可能領域に位置していると判断できれば、前記設定した時点に応じて電波遮断を終了する終了段階と、を少なくとも実行することを特徴とする。
【００１８】
時宜情報は、電波遮断を終了する時刻を含んだ情報とすることができ、この場合、前記設定段階において、電波遮断を終了する時刻を設定し、前記位置判断段階において、前記電波遮断を終了する時刻になる前又は該時刻になったときに通信可能領域に位置しているか否かを判断し、前記終了段階において、前記位置判断段階で通信可能領域に位置していると判断できれば、前記電波遮断を終了する時刻になってから電波遮断を終了する制御とすることができる。
【００１９】
あるいは、時宜情報は、電波遮断を開始する時刻及び終了する時刻を含んだ情報とすることができ、この場合、前記設定段階において、電波遮断を開始する時刻及び終了する時刻を設定し、前記開始段階において、前記電波遮断を開始する時刻になった場合に電波遮断を開始し、前記位置判断段階において、前記電波遮断を終了する時刻になる前又は該時刻になったときに通信可能領域に位置しているか否かを判断し、前記終了段階において、前記位置判断段階で通信可能領域に位置していると判断できれば、前記電波遮断を終了する時刻になってから電波遮断を終了する制御とすることができる。
【００２０】
あるいはまた、時宜情報は、現在又は電波遮断開始の時刻から電波遮断を終了するまでの時間を含んだ情報とすることができ、この場合、前記設定段階において、電波遮断を終了するまでの時間を設定し、前記位置判断段階において、前記電波遮断を終了するまでの時間が経過する前又は該時間が経過したときに通信可能領域に位置しているか否かを判断し、前記終了段階において、前記位置判断段階で通信可能領域に位置していると判断できれば、前記電波遮断を終了するまでの時間が経過してから電波遮断を終了する制御とすることができる。
【００２１】
さらに、時宜情報は、現在の時刻から電波遮断を開始するまでの時間及び終了するまでの時間を含んだ情報とすることができ、この場合、前記設定段階において、電波遮断を開始するまでの時間及び終了するまでの時間を設定し、前記開始段階において、前記電波遮断を開始するまでの時間が経過したときに電波遮断を開始し、前記位置判断段階において、前記電波遮断を終了するまでの時間が経過する前又は該時間が経過したときに通信可能領域に位置しているか否かを判断し、前記終了段階において、前記位置判断段階で通信可能領域に位置していると判断できれば、前記電波遮断を終了するまでの時間が経過してから電波遮断を終了する制御とすることができる。
【００２２】
上記の場合の時宜情報も、使用者により入力されるものか、又は、基地局から入力されるものとすることができる。
【００２３】
本態様の場合、前記位置判断段階で通信可能領域に位置していると判断できなければ、前記設定した時点に応じて電源をオフにする電源断段階を実行することもできる。あるいは、前記開始段階の後、前記終了段階の前に、所定の入力操作に応じて電波遮断を終了する緊急終了段階を実行することもできる。
【００２４】
また、前記終了段階においては、前記設定した時点に応じて自動的に電波遮断を終了する、あるいは、前記設定した時点に応じて使用者に電波遮断を終了できることを通知し、該通知に対する応答操作に従って電波遮断を終了する制御としてもよい。
【００２５】
前記開始段階の後、前記終了段階の前には、電波遮断を開始してからの経過時間又は電波遮断を終了するまでの残り時間を通知する通知段階を実行することもできる。
【００２６】
本発明に係る上記のような電波遮断制御方法を実行する移動通信端末機は、入力される時宜情報に従って電波遮断制御に関わる１以上の時点をセット可能なタイムセット部と、少なくとも電波の発信を制御する第１制御器と、該第１制御器を制御して電波遮断を開始した後、前記タイムセット部にセットした時点に応じ前記第１制御器を制御して電波遮断を終了する第２制御器と、を含んで構成されることを特徴とする。
【００２７】
当該移動通信端末機は、通信可能領域に位置しているか否かを検出する第３制御器をさらに含むことができ、前記第２制御器が、前記タイムセット部にセットした時点に応じると共に前記第３制御器に従って、前記第１制御器を制御して電波遮断を終了する構成とすることもできる。
【発明の効果】
【００２８】
本発明によれば、自機からの電波発信は遮断しつつ、自機に備えられた他の各機能（カメラ、ビデオカメラ、ＭＰ３プレーヤ、ゲームなど）は使用可能となり、且つ、電波遮断を終了してもよい時点になると自動的に電波遮断を終了するか、あるいは、終了できることを通知するようにしてあるので、従来のような電源の入れ忘れなどの不具合を解消することができ、便利である。また、一態様によれば、電波遮断した後の経過時間、あるいは電波遮断終了までの残り時間を通知（表示やアラーム、振動）できるようにしたので、使用者にとってより付加価値の高い端末機を提供することができる。
【発明を実施するための最良の形態】
【００２９】
以下、本発明に係る実施形態について図面を用いて詳細に説明する。
【００３０】
図１は、本発明に係る移動通信端末機の通信モード変更方法の例を示すフローチャートである。
【００３１】
図１に示すように、まず、電波遮断機能オン命令が入力（Ｓ２０１）されると、移動通信端末機は１以上の時宜情報入力（Ｓ２０２）を受け付ける。このときの時宜情報は、たとえば、電波の遮断を終了（＝通信再開）する時刻を少なくとも含み、場合によってはこれに電波の遮断を開始する時刻を含むような、時刻（何時何分を指定する）の概念とすることができる。あるいは、現在（あるいは電波遮断開始）の時刻から電波遮断を終了する時刻までの時間（間隔）や、現在の時刻から電波遮断を開始する時刻及び終了する時刻の両方までの時間という、時間（何時間、何分間を指定する）の概念としてもよい。このような時宜情報は、使用者によって入力されるか、又は、基地局から入力（受信）されるものとすることができる。特に、基地局から入力されるようにしておくと、これから入場する場所が公演場や航空機内などである場合に有用である。
【００３２】
次いで、ステップＳ２０２で入力された時宜情報によって、電波遮断制御に関わる（つまり電波遮断の開始、終了に関わる）１つ以上の時点を設定する（Ｓ２０３）。これにより設定される時点は、上記のように時宜情報が終了（あるいは開始も）の時刻を指定する情報を含むものであれば、終了（あるいは開始も）の時刻であり、終了（あるいは開始も）までの時間を指定する情報を含むものであれば、終了（あるいは開始も）までの時間である。続いて、移動通信端末機が電波を遮断するが（Ｓ２０４）、前記時宜情報に遮断開始の時刻や遮断開始までの時間が含まれていた場合には、これにより指定された時点（開始する時刻になる、開始までの時間が経過する）で電波遮断を開始する。
【００３３】
電波の遮断（少なくとも電波の発信を遮断すればよいが、電波の送受信を遮断することも可）を開始した後は、時宜情報に従いセットした電波遮断の終了時点（終了する時刻になる、終了までの時間が経過する）になるか否かを内部タイマで判断し（Ｓ２０５）、該判断の結果が「ＹＥＳ」になると、電波の遮断を自動的に終了（解除）するか、又は遮断を終了できることを使用者に通知する（Ｓ２０６）。当該過程においては、たとえば、前記セットした電波遮断終了時点になった場合に、自動終了の設定であれば移動通信端末機が自動で電波遮断を解除して待受状態となり、終了通知の設定であれば、画面表示やアラーム、振動により電波遮断の終了時点になったことを使用者に通知し、該通知に対する使用者の応答操作で解除指令が入力されることで、電波遮断を終了し、待受状態とする。
【００３４】
以上の方法によると、電波を遮断したうえで、移動通信端末機の通信を使用しない（電波を発しない）各機能（例えば、カメラ、ビデオカメラ、ＭＰ３プレーヤ、ゲームなど）は、継続的に使用し得るという長所がある。そして、電波遮断を終了するようにセットされた時点に達すると、自動で電波遮断を終了するか、又は電波遮断を終了できることを通知するようにしてあるので、モードを切り換えて通信を再開させることを忘れずに済み、特に、移動通信端末機をマナーモードや電源オフにしておかなければならない場所に所定の時間居る場合に有用である。
【００３５】
ただし、電波遮断を開始した後、電波遮断の終了時点に到達する前でも、所定の入力操作に応じて、たとえば緊急コールを発呼するような非常要求の入力があった場合には、電波遮断を直ちに終了する緊急終了段階を実行することができる。すなわち、救急や消防、警察などの緊急番号（１１９番や１１０番）が入力された場合には、電波遮断解除指令の入力など電波遮断を終了するための操作過程を経ることなく、緊急番号の入力操作だけで、自動的に電波遮断を終了して発呼することが可能である。
【００３６】
また、電波遮断の終了時点に到達する前でも、所定の間隔や所定の回数で、電波遮断を一時的に解除し、特定コンテンツ（ＳＭＳ、ＭＭＳ、生活情報、株式情報など）の受信を行えるようにしてあってもよい（状況に応じて）。あるいは、所定の間隔や所定の回数で、電波遮断を一時的に解除し、特定コンテンツ（ＳＭＳ、ＭＭＳなど）の送信も行えるようにしてあってもよい（状況に応じて）。
【００３７】
図１のステップＳ２０５で電波遮断終了時点になるか判断する前、もしくは判断した後、つまり、電波遮断終了時点に到達する前又は到達したときに、現在の場所が通信（電波発信）可能な領域であるか否かを判断し、電波遮断を終了して良いか否かを最終的に決めるようにしてもよい。これは、ＣＤＭＡ網で使用される通信チャネルをそのときにモニタするなどの手法で実施することができ、当該チャネルをモニタした結果が通信可能領域と判断できた場合にのみ、電波遮断を終了するステップＳ２０６を実行するものとできる。一方、そのモニタの結果が通信可能地域と判断できなかった場合には、電波遮断を継続実行するか、あるいは、移動通信端末機が自動的に電源オフを実行する制御とすることもできる。電源オフを実行する場合、電波遮断終了にセットされた時点以降も引き続き移動通信端末機使用不可領域に位置している場合には、バッテリ消費を節約し得る。
【００３８】
一般的なＣＤＭＡ網について図３を用いて説明する。図３に示すように、ＣＤＭＡ網の通信チャネルにおいて、順方向（下り）には、パイロットチャネル（Pilot Channel）、同期チャネル（Sync Channel）、ページングチャネル（Paging Channel）、順方向トラフィックチャネル（Forward Traffic Channel）があって、逆方向（上り）には、アクセスチャネル（Access Channel）と逆方向トラフィックチャネル（Reverse Traffic Channel）がある。パイロットチャネルは、基地局と端末機でshort PN codeを同期するために使用され、同期チャネルは、short PN codeオフセット、メッセージ受信及び発信のためのタイミング情報を伝達するために使用され、ページングチャネルは、基地局及びシステム環境情報、呼出メッセージを伝送するために使用される。アクセスチャネルは、端末機から基地局に発信及び登録メッセージを伝送するために使用され、順方向及び逆方向のトラフィックチャネルは、通話音声やメール本文、画像などのユーザデータを伝送するために使用される。
【００３９】
従って、通信可能な領域であるか否かを判断するためには、少なくとも同期チャネルとページングチャネルをモニタした結果によって判断すればよい。
【００４０】
上記実施形態で、ステップＳ２０５で判断した結果得られる電波遮断終了までの残り時間、又は、電波遮断開始した後の経過時間を、時間表示で知らせたり、あるいは、所定の間隔で使用者に通知（画面表示、サウンド、振動、発光、臭いなど）することができる。これは、使用者がその場所に滞留している時間（例えば航空機内であれば飛行時間）をチェックしたいときに有用である。
【００４１】
以上説明した例は、ソフトウェア、ハードウェア、またはこれらの組み合わせで実現することができる。例えば、上記方法は、プロセッサ（例えば、移動通信端末機の内部マイクロプロセッサ）によって実行し得るソフトウェアプログラム内の各コードまたは各コマンドとして実現し、記憶媒体（例えば、移動通信端末機の内部メモリ、フラッシュメモリ、ハードディスク、メモリカード等のリムーバブル媒体）に記憶したものとすることができる。
【００４２】
図２は、本発明に係る移動通信端末機の要部構成を示すブロック図である。
【００４３】
図２に示すように、本例の移動通信端末機は、タイムセット部３０５と、移動通信端末機のＲＦ信号（電波の発信、場合によっては電波の受信も）を制御する第１制御器３０３と、タイムセット部３０５及び第１制御器３０３を制御する第２制御器３０４と、第１制御器３０３に接続された送信部３０１及び受信部３０２と、第２制御器３０４に接続された入力部３０７及び出力部３０８と、を含む。
【００４４】
タイムセット部３０５は、使用者により入力される時宜情報または受信部３０２を介し受信される時宜情報に従って、電波遮断の終了時点（あるいは開始時点も）、すなわち、終了時刻（あるいは開始時刻も）または終了までの残り時間（あるいは開始までの時間も）がセットされるように構成されている。このようなタイムセット部３０５は、タイマーで構成することが好ましい。
【００４５】
第２制御器３０４は、第１制御器３０３及びタイムセット部３０５の両方を管轄し、タイムセット部３０５にセットした時点に応じて電波遮断機能の開始／終了を制御することができる。また、第２制御器３０４は、入力部３０７から使用者による時宜情報を受けることができ、電波遮断に関連した各種情報を出力部３０８に提供することができる。特に、電波遮断開始後の経過時間や、電波遮断終了時点までの残り時間を出力部３０８を通し表示するか、または、所定の周期で出力部３０８を通して使用者に通知（サウンド、振動、発光、ディスプレイ、臭いなど）することができる。
【００４６】
電波遮断を実行するときの第２制御器３０４は、第１制御器３０３を制御し、送信部３０１によるＲＦ信号の送信を少なくとも遮断（中止）する。あるいは、送信部３０１によるＲＦ信号の送信及び受信部３０２によるＲＦ信号の受信の両方を遮断（中止）するようにしてもよい。そして第２制御器３０４は、タイムセット部３０５にセットした終了時点に応じて第１制御器３０３を制御し、ＲＦ信号の送信遮断（あるいは受信遮断も）を終了させる。
【００４７】
本例の移動通信端末機は、移動通信サービスが使用可能であるか否か、つまり通信可能な領域か否かを検出する第３制御器３０６をさらに含むことができる。この第３制御器３０６は、第２制御器３０４及び／又は第１制御器３０３に接続され得る。第２制御器３０４及び第１制御器３０３の両方に接続された場合には、第２制御器３０４により制御された第３制御器３０６が、第１制御器３０３とやり取りすることで、通信可能領域であるか否かをモニタし、該モニタの結果を第２制御器３０４へ伝達するように構成することができる。この他に、第３制御器３０６が第２制御器３０４だけに接続される構成も可能で、この場合には、第３制御器３０６は、第１制御器３０３から第２制御器３０４に伝達された情報を受け取り、該情報をモニタして該モニタの結果を第２制御器３０４に返すように構成することができる。
【００４８】
このような移動通信端末機を利用すると、電波の遮断を終了するにあたって移動通信サービスが可能な領域か否かが判断され、通信可能領域である場合には、自動で電波遮断を終了するか、または、使用者への通知（サウンド、振動、発光、ディスプレイ、臭いなど）に対する応答操作に応じて、つまり手動で電波遮断の終了を実行することができる。
【００４９】
一方、第３制御器３０６が、所定の時間または所定の回数で前記チャネルをモニタした結果、移動通信サービスの使用不可能領域であると判断した情報を第２制御器３０４に伝達した場合には、当該移動通信端末機は、第２制御器３０４によって電源オフ制御が実行されるように構成することができる。
【００５０】
以上説明した本発明の各構成要素、即ち、第１制御器、第２制御器、第３制御器、タイムセット部は、ソフトウェアとして実現し、記憶媒体に記憶することができる。すなわち、本発明に係る前記各構成要素は、プロセッサによって実行されるソフトウェアプログラム内のコードまたはコマンドとして実現することができ、記憶媒体（移動通信端末機の内部メモリ、フラッシュメモリ、ハードディスク、メモリカード等のリムーバブル媒体など）に記憶したものとすることができる。つまり、本発明は、前記各構成要素がソフトウェアで実現されて記憶されている媒体と、プロセッサと、から構成することもできる。
【図面の簡単な説明】
【００５１】
【図１】本発明に係る移動通信端末機の電波遮断制御方法の制御例を示すフローチャート。
【図２】本発明に係る移動通信端末機の要部構成を示すブロック図。
【図３】ＣＤＭＡ方式の通信網で使用されるチャネルを説明した概略図。
【符号の説明】
【００５２】
３０１  送信部
３０２  受信部
３０３  第１制御器
３０４  第２制御器
３０５  タイムセット部
３０６  第３制御器
３０７  入力部
３０８  出力部
【図１】
2007082234.tif 000003
【図２】
2007082234.tif 000004
【図３】
2007082234.tif 000005